(57)【特許請求の範囲】
【請求項１】
無線通信ネットワークにおいて、呼制御サーバーに対するログイン処理が完了した後に呼び出される相手先端末と、該相手先端末との間に前記呼制御サーバーによって設定された通信路を用いてＩＰパケット通信を行う無線通信端末であって、
前記呼制御サーバーに対して、前記相手先端末の呼出要求を送信する呼出要求送信部と、
入力された情報を取得する入力情報取得部と、
前記入力情報取得部が取得した前記情報に基づいて、前記相手先端末に対するメッセージを生成するメッセージ生成部と、
前記呼出要求送信部が前記呼出要求を送信してから前記通信路が設定されるまでの間に、前記メッセージ生成部を起動する起動部と、
前記メッセージ生成部によって生成された前記メッセージを、前記呼制御サーバーを介さずに前記相手先端末に向けて送信するメッセージ送信部と、
を具備することを特徴とする無線通信端末。
【請求項２】
前記相手先端末による前記呼出要求に対する未応答通知を受信する受信部を更に具備し、
前記受信部が前記未応答通知を受信した場合、前記メッセージ送信部は、前記相手先端末を宛先とするメッセージを生成し、無線通信ネットワーク内の配信サーバーに対して、該生成したメッセージを送信することを特徴とする請求項１に記載の無線通信端末。
【請求項３】
前記呼出要求の取消を要求する取消要求を受け付ける取消要求受付部を更に具備し、
前記取消要求受付部が前記取消要求を受け付けた場合、前記メッセージ送信部は、前記相手先端末を宛先として設定し、無線通信ネットワーク内の配信サーバーに対して、該メッセージを送信することを特徴とする請求項１に記載の無線通信端末。
【請求項４】
前記通信路が設定されたことを検知する通信路設定検知部を更に具備し、
前記通信路が設定されたことが前記通信路設定検知部によって検知された場合、前記メッセージ送信部は、前記相手先端末に対して、前記通信路を用いて前記メッセージを送信することを特徴とする請求項１に記載の無線通信端末。
【請求項５】
前記通信路が設定されたことを検知する通信路設定検知部と、
前記通信路が設定されたことが前記通信路設定検知部によって検知された場合、前記メッセージを削除するメッセージ削除部と、
を更に具備することを特徴とする請求項１に記載の無線通信端末。
【請求項６】
前記呼出要求送信部は、複数の前記相手先端末の呼出要求を送信し、
前記メッセージ送信部は、前記呼出要求送信部が前記呼出要求を送信した前記相手先端末のうち、前記呼出要求に対して未応答の相手先端末を宛先として設定し、無線通信ネットワーク内の配信サーバーに対して、該メッセージを送信することを特徴とする請求項１に記載の無線通信端末。
【請求項７】
無線通信ネットワークにおいて、呼制御サーバーに対するログイン処理が完了した後に呼び出される相手先端末と、該相手先端末との間に前記呼制御サーバーによって設定された通信路を用いてＩＰパケット通信を行う無線通信端末であって、
前記呼制御サーバーに対して、前記相手先端末の呼出要求を送信する呼出要求送信部と、
入力された情報を取得する入力情報取得部と、
前記入力情報取得部が取得した前記情報に基づいて、前記相手先端末に対するメッセージを生成するメッセージ生成部と、
前記呼出要求送信部が前記呼出要求を送信してから前記通信路が設定されるまでの間に、前記メッセージ生成部を起動する起動部と、
前記メッセージ生成部によって生成された前記メッセージを、前記呼制御サーバーを介して前記相手先端末に向けて送信するメッセージ送信部と、
を具備することを特徴とする無線通信端末。
【発明の詳細な説明】
【技術分野】
【０００１】
本発明は、無線通信ネットワークにおいて、呼制御サーバーに対するログイン処理が完了した後に呼び出される相手先端末と、当該相手先端末との間に呼制御サーバーによって設定された通信路を用いてＩＰパケット通信を行う無線通信端末に関する。
【背景技術】
【０００２】
従来、無線通信ネットワークにおいて無線通信端末がＩＰパケット通信を行う場合、呼制御プロトコルの一つとして、ＳＩＰ（Ｓｅｓｓｉｏｎ  Ｉｎｉｔｉａｔｉｏｎ  Ｐｒｏｔｏｃｏｌ）が用いられている。
【０００３】
ＳＩＰによる呼制御は、ＳＩＰサーバー（呼制御サーバー）を介して行われる。具体的には、ＳＩＰサーバーは、発信元の無線通信端末（以下、発信端末）から相手先の無線通信端末（以下、相手先端末）の呼出要求（ＩＮＶＩＴＥ  Ｒｅｑｕｅｓｔ）を受信する。ＳＩＰサーバーは、相手先端末のログイン処理が完了してから、発信端末からの呼出要求を相手先端末に対して送信する。その後、相手先端末と発信端末との間にＳＩＰサーバーによって通信路が設定され、かかる通信路を用いて通話（ＩＰパケット通信）が行われる。
【非特許文献１】“ＳＩＰ：Ｓｅｓｓｉｏｎ  Ｉｎｉｔｉａｔｉｏｎ  Ｐｒｏｔｏｃｏｌ”、ＲＦＣ３２６１
【発明の開示】
【発明が解決しようとする課題】
【０００４】
ＳＩＰによる呼制御では、相手先端末によるＳＩＰサーバーへのログイン処理が完了するまでは、ＳＩＰサーバーは、相手先端末の呼出要求（ＩＮＶＩＴＥ  Ｒｅｑｕｅｓｔ）を相手先端末に送信することができない。
【０００５】
このため、ＳＩＰによる呼制御では、回線交換方式での呼制御と比較して、発信端末が相手先端末の呼出要求を行ってから通信路が設定されるまでに要する時間が長くなってしまう。すなわち、発信端末のユーザが相手先端末のユーザに情報を緊急に伝達したい場合であっても、通信路が設定されるまでに長い時間を要するため、迅速に情報を伝達することができないという問題点があった。
【０００６】
さらに、通信路が設定できなかった場合、発信端末のユーザは、伝えたかった内容を他の伝達手段であるショートメールサービスやＥ−ＭＡＩＬ等のアプリケーションを起動し、再度相手先端末の宛先を指定して発信して、情報を送信しなければならない等、利便性が悪い。このように、相手先端末に情報を伝達する際の利便性が悪いことも、迅速に情報を伝えることができない一因であった。
【０００７】
そこで、本発明は以上の点に鑑みてなされたものであり、無線通信ネットワークにおいて、呼制御サーバーに対するログイン処理が完了した後に呼び出される相手先端末と、当該相手先端末との間に呼制御サーバーによって設定された通信路を用いてＩＰパケット通信を行う場合に、相手先端末のユーザに対して迅速に情報を伝達し、発信端末のユーザの利便性を向上させることを可能とする無線通信端末を提供することを目的とする。
【課題を解決するための手段】
【０００８】
本発明の第１の特徴は、無線通信ネットワークにおいて、呼制御サーバー（ＳＩＰサーバー３００）に対するログイン処理が完了した後に呼び出される相手先端末と、該相手先端末との間に前記呼制御サーバーによって設定された通信路を用いてＩＰパケット通信を行う無線通信端末であって、前記呼制御サーバーに対して、前記相手先端末の呼出要求を送信する呼出要求送信部（呼制御処理部１１０）と、入力された情報を取得する入力情報取得部（操作部１９０）と、前記入力情報取得部が取得した前記情報に基づいて、前記相手先端末に対するメッセージ（通知メッセージ）を生成するメッセージ生成部（通知メッセージ生成部１２０）と、前記呼出要求送信部が前記呼出要求を送信してから前記通信路が設定されるまでの間に、前記メッセージ生成部を起動する起動部（制御部１７０）と、前記メッセージ生成部によって生成された前記メッセージを前記相手先端末に向けて送信するメッセージ送信部（通知メッセージ送信（ＳＭＳ／Ｅ−ＭＡＩＬ）部１３０、通知メッセージ送信（ＳＩＰ）部１４０、通知メッセージ送信（端末間）部１５０）とを具備する無線通信端末であることを要旨とする。
【０００９】
かかる特徴によれば、起動部が呼出要求送信部による呼出要求送信後、直ちにメッセージ生成部を起動することによって、相手先端末へのメッセージが迅速に生成されるため、相手先端末のユーザに迅速に情報を伝達することができる。また、起動部がメッセージ生成部を起動することによって、無線通信端末のユーザがメッセージを編集送信する際に改めてアプリケーションの起動や相手先端末の宛先の指定等を行う必要がないため、無線通信端末のユーザの利便性を向上することができる。
【００１０】
本発明の第１の特徴において、前記呼出要求に対する未応答通知を受信する受信部（呼制御処理部１１０）を更に具備し、前記受信部が前記未応答通知を受信した場合、前記メッセージ送信部（通知メッセージ送信（ＳＭＳ／Ｅ−ＭＡＩＬ）部１３０）は、前記相手先端末を宛先とするメッセージを生成し、配信サーバーに対して、該生成したメッセージを送信してもよい。
【００１１】
本発明の第１の特徴において、前記呼出要求の取消を要求する取消要求を受け付ける取消要求受付部（操作部１９０）を更に具備し、前記取消要求受付部が前記取消要求を受け付けた場合、前記メッセージ送信部（通知メッセージ送信（ＳＭＳ／Ｅ−ＭＡＩＬ）部１３０）は、前記相手先端末を宛先とするメッセージを生成し、配信サーバーに対して、該生成したメッセージを送信してもよい。
【００１２】
本発明の第１の特徴において、前記相手先端末による前記呼出要求に対する応答処理を示す応答通知を受信する応答通知受信部（呼制御処理部１１０）を更に具備し、前記ログイン完了通知受信部が前記ログイン完了通知を受信した場合、前記メッセージ送信部（通知メッセージ送信（ＳＩＰ）部１４０）は、前記呼制御サーバーに対して、前記通信路が設定されるまでに前記メッセージを送信してもよい。
【００１３】
本発明の第１の特徴において、前記通信路が設定されたことを検知する通信路設定検知部（制御部１７０）を更に具備し、前記通信路が設定されたことが前記通信路設定検知部によって検知された場合、前記メッセージ送信部通知メッセージ送信（端末間）部１５０）は、前記相手先端末に対して、前記通信路を用いて前記メッセージを送信してもよい。
【００１４】
本発明の第１の特徴において、前記通信路が設定されたことを検知する通信路設定検知部（制御部１７０）と、前記通信路が設定されたことが前記通信路設定検知部によって検知された場合、前記メッセージを削除するメッセージ削除部（通知メッセージ削除部１６０）とを更に具備してもよい。
【００１５】
本発明の第１の特徴において、前記呼出要求送信部は、複数の前記相手先端末の呼出要求を送信し、前記メッセージ送信部は、前記呼出要求送信部が前記呼出要求を送信した前記相手先端末のうち、前記呼出要求に対して未応答の相手先端末を宛先とするメッセージを生成し、配信サーバーに対して、該生成したメッセージを送信することを特徴としてもよい。
【発明の効果】
【００１６】
本発明の特徴によれば、無線通信ネットワークにおいて、呼制御サーバーに対するログイン処理が完了した後に呼び出される相手先端末と、当該相手先端末との間に呼制御サーバーによって設定された通信路を用いてＩＰパケット通信を行う場合に、相手先端末のユーザに対して迅速に情報を伝達し、発信端末のユーザの利便性を向上させることを可能とする無線通信端末を提供することができる。
【発明を実施するための最良の形態】
【００１７】
（無線通信ネットワークの概略構成）
図１を参照し、本実施形態に係る無線通信ネットワークの概略構成について説明する。
【００１８】
本明細書において、ＩＰパケット通信とは、端末相互間におけるＶｏＩＰ（Ｖｏｉｃｅ  ｏｖｅｒ  ＩＰ）通信やチャット等の非音声通信、さらにＴＶ電話通信やＴＶ会議通信等の音声通信と非音声通信を融合して構成されるものをも含むものとする。
【００１９】
図１に示すように、無線通信ネットワーク１は、ＳＩＰサーバー３００と、ＳＭＳ（Ｓｈｏｒｔ  Ｍｅｓｓａｇｅ  Ｓｅｒｖｉｃｅ）サーバー４００とＥ−ＭＡＩＬサーバー５００とを備えている。また、本実施形態に係る無線通信端末１００Ａ、１００Ｂは、ＩＰパケットを伝送する無線パケットネットワーク２００ａを介してＳＩＰサーバー３００及びＥ−ＭＡＩＬサーバー５００に、回線交換ネットワーク２００ｂを介してＳＭＳサーバー４００に接続可能に構成されている。なお、Ｅ−ＭＡＩＬサーバー５００は、回線交換ネットワーク２００ｂを介して接続可能に構成されてもよい。
【００２０】
以下、本明細書において、無線通信端末１００Ａを発信端末、無線通信端末１００Ｂを相手先端末として説明する。
【００２１】
ＳＩＰサーバー３００は、ＳＩＰに基づいて、無線通信端末１００Ａ、１００Ｂの呼制御を行う呼制御サーバーである。具体的には、ＳＩＰサーバー３００は、ログイン処理によって無線通信端末１００Ａ、１００Ｂの識別情報（例えば、電話番号やＩＰアドレスなど）を管理する。また、ＳＩＰサーバー３００は、ログイン処理が完了した無線通信端末１００Ａ、１００Ｂとが端末相互間でＩＰパケット通信を行うための通信路の設定を制御する。
【００２２】
ＳＭＳサーバー４００は、メッセージサービス（ショートメッセージサービス）を提供する。ＳＭＳサーバー４００は、無線通信端末１００Ａから受信した無線通信端末１００Ｂ宛のショートメッセージを中継し、無線通信端末１００Ｂに送信する。また、無線通信端末１００Ｂがショートメッセージを受信できない場合、ＳＭＳサーバー４００は、無線通信端末１００Ｂがショートメッセージを受信するまで所定回数再送することができる。本実施形態において、ＳＭＳサーバー４００は、配信サーバーを構成する。
【００２３】
Ｅ−ＭＡＩＬサーバー５００は、メッセージサービス（Ｅ−ＭＡＩＬサービス）を提供する。Ｅ−ＭＡＩＬサーバー５００は、無線通信端末１００Ａから受信した無線通信端末１００Ｂ宛のＥ−ＭＡＩＬを中継し、無線通信端末１００Ｂに送信する。本実施形態において、Ｅ−ＭＡＩＬサーバー５００は、配信サーバーを構成する。
【００２４】
（無線通信端末の構成）
図２を参照し、無線通信ネットワーク１において用いられる無線通信端末１００Ａの構成について説明する。
【００２５】
図２に示すように、無線通信端末１００は、呼制御処理部１１０と、通知メッセージ生成部１２０と、通知メッセージ送信（ＳＭＳ／Ｅ−ＭＡＩＬ）部１３０と、通知メッセージ送信（ＳＩＰ）部１４０と、通知メッセージ送信（端末間）部１５０と、通知メッセージ削除部１６０と、制御部１７０と、表示部１８０と、操作部１９０と、記憶部１９５とを具備する。
【００２６】
無線通信端末１００Ｂも無線通信端末１００Ａと同様の機能ブロック構成を有する。
【００２７】
また、以下、本発明との関連がある部分について主に説明する。したがって、無線通信端末１００Ａは、無線通信端末１００Ａとしての機能を実現する上で必須な、図示しない或いは説明を省略した論理ブロック（電源部など）を備える場合があることに留意されたい。
【００２８】
呼制御処理部１１０は、ＳＩＰによって端末相互間のＩＰパケット通信に用いられる通信路の設定処理を行う。
【００２９】
具体的には、呼制御処理部１１０は、ＳＩＰサーバー３００に対して、無線通信端末１００Ｂの呼出要求（ＩＮＶＩＴＥ  Ｒｅｑｕｅｓｔ）を送信する。本実施形態において、呼制御処理部１１０は、呼出要求送信部を構成する。なお、呼制御処理部１１０は、ＳＩＰサーバー３００に対して、複数の無線通信端末１００の呼出要求（ＩＮＶＩＴＥ  Ｒｅｑｕｅｓｔ）を送信してもよい。
【００３０】
また、呼制御処理部１１０は、無線通信端末１００ＢのＳＩＰサーバー３００に対する応答処理が行われていないことを示す未応答通知を受信する。本実施形態において、呼制御処理部１１０は、受信部を構成する。
【００３１】
また、呼制御処理部１１０は、のＳＩＰサーバー３００に対する応答処理が完了したことを示す処理中通知（例えば、１００  Ｔｒｙｉｎｇ）を受信する。本実施形態において、呼制御処理部１１０は、応答通知受信部を構成する。
【００３２】
通知メッセージ生成部１２０は、制御部１７０からの指示に応じて、例えば、図３に示すような通知メッセージ作成画面を生成し、表示部１８０に表示させる。また、通知メッセージ生成部１２０は、通知メッセージ作成画面を表示部１８０に表示させている間に操作部１９０から取得した情報に基づいて、無線通信端末１００Ｂに対する通知メッセージ（メッセージ）を作成する。本実施形態において、通知メッセージ生成部１２０は、メッセージ生成部を構成する。
【００３３】
通知メッセージ送信（ＳＭＳ／Ｅ−ＭＡＩＬ）部１３０は、制御部１７０の指示に応じて、無線通信端末１００Ｂを宛先とするメッセージを生成し、配信サーバーに対して、当該生成したメッセージを送信する。本実施形態において、通知メッセージ送信（ＳＭＳ／Ｅ−ＭＡＩＬ）部１３０は、メッセージ送信部を構成する。
【００３４】
具体的には、通知メッセージ送信（ＳＭＳ／Ｅ−ＭＡＩＬ）部１３０は、ショートメッセージサービスに合わせて、通知メッセージ生成部１２０によって生成された通知メッセージを生成し、宛先を設定してＳＭＳサーバー４００に送信する。
【００３５】
また、通知メッセージ送信（ＳＭＳ／Ｅ−ＭＡＩＬ）部１３０は、Ｅ−ＭＡＩＬサービスに合わせて、通知メッセージ生成部１２０によって生成し、宛先を設定して通知メッセージをＥ−ＭＡＩＬサーバー５００に送信する。
【００３６】
なお、通知メッセージ送信（ＳＭＳ／Ｅ−ＭＡＩＬ）部１３０は、呼制御処理部１１０が呼出要求（ＩＮＶＩＴＥ  Ｒｅｑｕｅｓｔ）を送信した複数の無線通信端末１００のうち、当該呼出要求に対して未応答の無線通信端末１００を宛先とするメッセージを生成し、配信サーバーに対して、該生成したメッセージを送信してもよい。
【００３７】
通知メッセージ送信（ＳＩＰ）部１４０は、制御部１７０の指示に応じて、ＳＩＰに基づいて、通知メッセージ生成部１２０によって生成された通知メッセージをＳＩＰサーバー３００に送信する。本実施形態において、通知メッセージ送信（ＳＩＰ）部１４０は、メッセージ送信部を構成する。
【００３８】
通知メッセージ送信（端末間）部１５０は、呼制御処理部１１０によって無線通信端末Ｂとの間に設定されたセッション（通信路）を用いて、通知メッセージ生成部１２０によって生成された通知メッセージを無線通信端末Ｂに送信する。本実施形態において、通知メッセージ送信（端末間）部１５０は、メッセージ送信部を構成する。
【００３９】
通知メッセージ削除部１６０は、通知メッセージ生成部１２０によって生成された通知メッセージを削除する。本実施形態において、通知メッセージ削除部１６０は、メッセージ削除部を構成する。
【００４０】
制御部１７０は、無線通信端末１００の各機能ブロックを制御する。
【００４１】
具体的には、制御部１７０は、呼制御処理部１１０がＳＩＰサーバー３００に無線通信端末１００Ｂの呼出要求（ＩＮＶＩＴＥ  Ｒｅｑｕｅｓｔ）を送信すると、通知メッセージ生成部１２０を起動する。本実施形態において、制御部１７０は、起動部を構成する。
【００４２】
また、制御部１７０は、呼制御処理部１１０が未応答通知を受信した場合、通知メッセージ送信（ＳＭＳ／Ｅ−ＭＡＩＬ）部１３０を起動する。
【００４３】
また、制御部１７０は、操作部１９０が無線通信端末１００Ｂの呼出要求（ＩＮＶＩＴＥ  Ｒｅｑｕｅｓｔ）の取消要求を受け付けた場合、通知メッセージ送信（ＳＭＳ／Ｅ−ＭＡＩＬ）部１３０を起動する。
【００４４】
また、制御部１７０は、呼制御処理部１１０が無線通信端末１００ＢのＳＩＰサーバー３００に対するログイン処理が完了したことを示す処理中通知を受信した場合、通知メッセージ送信（ＳＩＰ）部１４０を起動する。
【００４５】
また、制御部１７０は、呼制御処理部１１０が無線通信端末１００Ｂとの間のセッション（通信路）が設定されたことを検知する。本実施形態において、制御部１７０は、通信路設定検知部を構成する。
【００４６】
また、制御部１７０は、呼制御処理部１１０が無線通信端末１００Ｂとの間のセッション（通信路）が設定されたことを検知した場合、通知メッセージ送信（端末間）部１５０を起動する。
【００４７】
表示部１８０は、小型の表示機によって構成され、様々な情報を表示する。具体的には、表示部１８０は、通知メッセージ生成部１２０によって生成された通知メッセージ作成画面を表示する。
【００４８】
操作部１９０は、無線通信端末１００のユーザによって操作される各種キー及びバイブレータによって構成される。
【００４９】
具体的には、操作部１９０は、表示部１８０に表示された通知メッセージ作成画面において、ユーザによって入力された情報を取得する。本実施形態において、操作部１９０は、入力情報取得部を構成する。
【００５０】
また、操作部１９０は、無線通信端末１００Ｂの呼出要求（ＩＮＶＩＴＥ  Ｒｅｑｕｅｓｔ）の取消を要求する取消要求を受け付ける。本実施形態において、操作部１９０は、取消要求受付部を構成する。
【００５１】
記憶部１９５は、無線通信端末１００Ｂの電話番号やＥ−ＭＡＩＬアドレスを含むアドレス帳を記憶する。
【００５２】
（通信方法）
以下、図４乃至図８を参照し、本実施形態に係る通信方法について説明する。
【００５３】
以下、発信端末＃Ａは、無線通信端末１００Ａを示し、相手先端末＃Ｂは、無線通信端末１００Ｂを示すものとする。
【００５４】
（１）      パターン１
図４は、発信端末＃Ａが送信した相手先端末＃Ｂの呼出要求に応じて、相手先端末＃ＢのＳＩＰサーバー３００に対するログイン処理が行われなかった場合の通知メッセージ送信例である。
【００５５】
図４に示すように、ステップＳ１１０において、発信端末＃Ａは、ＳＩＰサーバー３００に対して相手先端末＃Ｂの呼出要求（ＩＮＶＩＴＥ  Ｒｅｑｕｅｓｔ（Ｂ））を送信する。なお、相手先端末＃Ｂの呼出要求（ＩＮＶＩＴＥ  Ｒｅｑｕｅｓｔ（Ｂ））には、相手先端末＃Ｂの識別情報（電話番号等）が含まれる。
【００５６】
ＳＩＰサーバー３００は、発信端末＃Ａから相手先端末＃Ｂ宛の呼出要求（ＩＮＶＩＴＥ  Ｒｅｑｕｅｓｔ（Ｂ））を受信したことを示す呼出要求受信情報をＳＭＳサーバー４００に送信する。
【００５７】
ＳＭＳサーバー４００は、ＳＩＰサーバー３００からの呼出要求受信情報に基づいて、相手先端末＃Ｂの呼出メッセージ（ＳＭＳ）を生成し、相手先端末＃Ｂへ送信する。なお、呼出メッセージ（ＳＭＳ）には、ＳＩＰサーバー３００の識別情報（ＩＰアドレス等）が含まれている。
【００５８】
ステップＳ１２０において、発信端末＃Ａは、ＳＩＰサーバー３００に対して相手先端末＃Ｂの呼出要求（ＩＮＶＩＴＥ  Ｒｅｑｕｅｓｔ（Ｂ））を送信するとすぐに、通知メッセージ生成処理を行う。具体的には、発信端末＃Ａは、通知メッセージ作成画面を生成し、表示部１８０に表示させる。発信端末＃Ａは、通知メッセージ作成画面の表示中に操作部１９０から取得した情報に基づいて、相手先端末＃Ｂへの通知メッセージを生成する。
【００５９】
ステップＳ１３０において、ＳＭＳサーバー４００は、ステップＳ１１０において送信した相手先端末＃Ｂの呼出メッセージ（ＳＭＳ）に対する相手先端末＃Ｂの未応答を検知し、ＳＩＰサーバー３００に対して相手先端末＃Ｂの未応答を通知する。
【００６０】
ＳＩＰサーバー３００は、発信端末＃Ａに対して、相手先端末＃Ｂが呼出メッセージ（ＳＭＳ）に対して応答せず、ＳＩＰサーバー３００に対する相手先端末＃Ｂのログイン処理が行われなかったことを示す未応答通知を送信する。
【００６１】
ステップＳ１４０において、発信端末＃Ａは、ショートメッセージサービスによって、ステップＳ１２０において生成した通知メッセージをＳＭＳサーバー４００に送信する。
【００６２】
ステップＳ１５０において、ＳＭＳサーバー４００は、ショートメッセージサービスによって、受信した通知メッセージを相手先端末＃Ｂに送信する。ショートメッセージサービスでは、ＳＭＳサーバー４００は、相手先端末＃Ｂが当該通知メッセージを受信するまで所定回数再送することができる。
【００６３】
したがって、相手先端末＃Ｂが通信圏内に在圏しておらず通知メッセージを受信できなかった場合であっても、相手先端末＃Ｂが通信圏内に移動した場合、再送により通知メッセージを受信することが可能となる。
【００６４】
（２）      パターン２
図５は、発信端末＃Ａが送信した相手先端末＃Ｂの呼出要求が取り消される場合の通知メッセージ送信例である。なお、ステップＳ２１０〜Ｓ２２０は、図４のステップＳ１１０〜Ｓ１２０と同様のため説明を省略する。
【００６５】
図５に示すように、ステップＳ２３０において、発信端末＃Ａのユーザが相手先端末＃Ｂの呼出要求の取消を要求する場合、発信端末＃Ａは相手先端末＃Ｂの呼出要求の取消要求をＳＩＰサーバー３００に対して送信する。
【００６６】
ステップＳ２４０において、発信端末＃Ａは、ショートメッセージサービスによって、ステップＳ２２０において生成した通知メッセージをＳＭＳサーバー４００に送信する。
【００６７】
ステップＳ２５０において、図４のステップＳ１５０と同様に、ＳＭＳサーバー４００は、ショートメッセージサービスによって、受信した通知メッセージを相手先端末＃Ｂに送信する。
【００６８】
（３）      パターン３
図６は、発信端末＃Ａが送信した相手先端末＃Ｂの呼出要求に応じて、相手先端末＃ＢがＳＩＰサーバー３００に対するログイン処理を完了した場合の通知メッセージ送信例である。なお、ステップＳ３１０〜Ｓ３２０は、図４のステップＳ１１０〜Ｓ１２０と同様のため説明を省略する。
【００６９】
図６に示すように、ステップＳ３３０において、相手先端末＃Ｂは、ＳＭＳサーバー４００からの呼出メッセージ（ＳＭＳ）を受信し、ＳＩＰサーバー３００に対してログイン処理を行う。
【００７０】
ステップＳ３４０において、ＳＩＰサーバー３００は、相手先端末＃Ｂのログイン処理が完了すると、ステップＳ３１０において受信した相手先端末＃Ｂの呼出要求（ＩＮＶＩＴＥ  Ｒｅｑｕｅｓｔ（Ｂ））に基づいて、相手先端末＃Ｂの呼出要求（ＩＮＶＩＴＥ  Ｒｅｑｕｅｓｔ（Ａ））を生成し、相手先端末＃Ｂに送信する。
【００７１】
ステップＳ３５０において、ＳＩＰサーバー３００は、相手先端末＃Ｂのログイン処理が完了したことを示す処理中通知を発信端末＃Ａに送信する。
【００７２】
ステップＳ３６０において、ＳＩＰサーバー３００から処理中通知を受信した発信端末＃Ａは、ステップＳ３２０において生成した通知メッセージをＳＩＰに基づいて、ＳＩＰサーバー３００に送信する。
【００７３】
ステップＳ３７０において、ＳＩＰサーバー３００は、ＳＩＰに基づいて、受信した通知メッセージを相手先端末＃Ｂに送信する。したがって、相手先端末＃Ｂは、ユーザの呼出中（Ｒｉｎｇｉｎｇ中）に、受信した通知メッセージの内容をユーザに報知することが可能となる。
【００７４】
（４）      パターン４
図７は、発信端末＃Ａと相手先端末＃Ｂとが端末相互間でＩＰパケット通信するためのセッション（通信路）が設定された場合の通知メッセージ送信例である。なお、ステップＳ４１０〜Ｓ４５０は、図６のステップＳ３１０〜Ｓ３５０と同様のため説明を省略する。
【００７５】
図７に示すように、ステップＳ４６０において、相手先端末＃Ｂは、ＳＩＰサーバー３００を介して、相手先端末＃Ｂのユーザを音や振動等により呼出中であることを示す呼出中（１８０  Ｒｉｎｇｉｎｇ）を発信端末＃Ａに送信する。
【００７６】
ステップＳ４７０において、相手先端末＃Ｂは、ＳＩＰサーバー３００を介して、ユーザの呼出に成功したことを示す呼出成功（２００  ＯＫ）を発信端末＃Ａに送信する。
【００７７】
ステップＳ４８０において、発信端末＃Ａは、ＳＩＰサーバー３００を介して、相手先端末＃Ｂからの呼出成功（２００  ＯＫ）を受信したことを示すＡＣＫを相手先端末＃Ｂに送信する。ここで、発信端末＃Ａと相手先端末＃Ｂとが端末相互間でＩＰパケット通信するためのセッションが設定される。
【００７８】
ステップＳ４９０において、発信端末＃Ａは、相手先端末＃Ｂとのセッションが設定されたことを検知する。発信端末＃Ａは、設定されたセッションを用いて、ステップＳ４２０において生成した通知メッセージを相手先端末＃Ｂに送信する。したがって、相手先端末＃Ｂは、通信開始時に、受信した通知メッセージの内容をユーザに報知することが可能となる。
【００７９】
（５）      パターン５
図８は、発信端末＃Ａと相手先端末＃Ｂとが通信するための通信路が設定された場合の通知メッセージ削除例である。なお、ステップＳ５１０〜Ｓ５８０は、図７のステップＳ４１０〜Ｓ４８０と同様のため説明を省略する。
【００８０】
ステップＳ５９０において、発信端末＃Ａは、相手先端末＃Ｂとのセッションが設定されたことを検知し、ステップＳ５２０において生成した通知メッセージを削除する。
【００８１】
（変更例１）
上述の通知メッセージ送信例では、パターン１（相手先端末＃ＢのＳＩＰサーバー３００に対するログイン処理が行われなかった場合）及びパターン２（発信端末＃Ａが相手先端末＃Ｂの呼出要求を取り消す場合）の場合、ショートメッセージサービスによって、生成した通知メッセージをＳＭＳサーバー４００に送信するように説明した。
【００８２】
本実施形態の変更例１では、パターン１及びパターン２の場合、ショートメッセージサービス又はＥ−ＭＡＩＬサービスを選択して生成した通知メッセージを送信する例について説明する。
【００８３】
図９は、通知メッセージの送信する際に、ショートメッセージサービス又はＥ−ＭＡＩＬサービスを選択して送信する処理を示すフローチャートである。
【００８４】
ステップＳ６１０において、発信端末＃Ａは、記憶部１９５に記憶されている電話帳を検索する。
【００８５】
ステップＳ６２０において、発信端末＃Ａは、相手先端末＃ＢのＥ−ＭＡＩＬアドレスが電話帳に登録されているか否かを判定する。
【００８６】
相手先端末＃ＢのＥ−ＭＡＩＬアドレスが電話帳に登録されている場合、ステップＳ６３０において、発信端末＃Ａは、Ｅ−ＭＡＩＬサービスを用いて、登録されている相手先端末＃ＢのＥ−ＭＡＩＬアドレスを宛先とし、Ｅ−ＭＡＩＬサーバー５００を介して相手先端末＃Ｂに通知メッセージを送信する。
【００８７】
一方、相手先端末＃ＢのＥ−ＭＡＩＬアドレスが電話帳に登録されていない場合、ステップＳ６４０において、発信端末＃Ａは、ショートメッセージサービスを用いて、相手先端末＃Ｂの電話番号を宛先とし、ＳＭＳサーバー４００を介して相手先端末＃Ｂに通知メッセージを送信する。
【００８８】
（変更例２）
上述の通知メッセージ送信例では、発信端末＃Ａが相手先端末＃Ｂを呼び出す際に、通知メッセージを送信するパターンについて説明した。
【００８９】
本実施形態の変更例２では、発信端末＃Ａが複数の相手先端末（例えば、相手先端末＃Ｂ、相手先端末＃Ｃ等）を呼び出す際に、通知メッセージを送信する例について説明する。すなわち、本発明は、複数の相手先端末と通信するグループ通話にも適用可能である。
【００９０】
ステップＳ７１０において、発信端末＃Ａは、ＳＩＰサーバー３００に対して、相手先端末＃Ｂ及び相手先端末＃Ｃの呼出要求（ＩＮＶＩＴＥ  Ｒｅｑｕｅｓｔ（Ｂ，Ｃ））を行う。
【００９１】
ステップＳ７２０において、発信端末＃Ａは、上述の通知メッセージ生成処理を行う。
【００９２】
ステップＳ７３０において、発信端末＃Ａは、ＳＩＰサーバー３００に未応答リスト要求を行う。ＳＩＰサーバー３００は、未応答リスト要求に応じて未応答リストを発信端末＃Ａに送信する。未応答リストとは、発信端末＃Ａの呼出要求に応じなかった相手先端末（例えば、相手先端末＃Ｃ）のリストである。
【００９３】
ステップＳ７４０において、発信端末＃Ａは、ステップＳ７３０において受信した未応答リストに基づいて、ＳＭＳサーバー４００に対してステップＳ７２０において生成した通知メッセージを送信する。
【００９４】
ステップＳ７５０において、ＳＭＳサーバー４００は、相手先端末＃Ｃに対して通知メッセージを送信する。
【００９５】
このように構成することにより、グループ通話に参加出来なかった相手先端末に対して作成されていたメッセージを簡単に送信することができるとともに、参加できなかった相手先端末のユーザへ伝えたかった内容を確実に伝えることができる。
【００９６】
（作用・効果）
本実施形態に係る発信端末＃Ａによれば、制御部１７０（起動部）が、呼制御処理部１１０（呼出要求送信部）による呼出要求（ＩＮＶＩＴＥ  Ｒｅｑｕｅｓｔ）送信後、直ちに通知メッセージ生成部１２０（メッセージ生成部）を起動することによって、相手を呼び出すための待ち時間を利用して相手先端末＃Ｂへの通知メッセージ（メッセージ）が迅速に生成されるため、待ち時間を有効に活用するとともに相手先端末＃Ｂのユーザに迅速に情報を伝達することができる。また、制御部１７０が通知メッセージ生成部１２０（メッセージ生成部）を呼出処理（発呼処理）に応じて起動することによって、発信端末＃Ａのユーザが通知メッセージを編集送信するためのアプリケーションの起動や相手先端末＃Ｂの宛先の指定等を改めて行う必要がないため、発信端末＃Ａのユーザの利便性を向上することができる。
【００９７】
本実施形態に係る発信端末＃Ａによれば、相手先端末＃Ｂの無線状態が悪く、相手先端末＃ＢのＳＩＰサーバー３００（呼制御サーバー）に対するログイン処理が行われていない場合や呼出に応答しなかった場合であっても、ＳＭＳサーバー４００やＥ−ＭＡＩＬサーバー５００（配信サーバー）を介して相手先端末＃Ｂに通知メッセージを送信することできる。すなわち、作成されていたメッセージは、改めてＥ−ＭＡＩＬサービスやショートメールサービス用のアプリケーションを起動して入力しなくても、相手先端末＃Ｂに、Ｅ−ＭＡＩＬやショートメールとして容易に伝えることができ、作成されていたメッセージが無駄にならないという効果がある。
【００９８】
本実施形態に係る発信端末＃Ａによれば、相手先端末＃Ｂとのセッション（通信路）が設定される前、すなわち、発信端末＃Ａのユーザが相手先端末＃Ｂのユーザと通話を開始する前に相手先端末＃Ｂの呼出要求（ＩＮＶＩＴＥ  Ｒｅｑｕｅｓｔ（Ｂ））を取り消す場合であっても、ＳＭＳサーバー４００を介して、通知メッセージを相手先端末＃Ｂに送信することで上述の効果を奏する。
【００９９】
本実施形態に係る発信端末＃Ａによれば、相手先端末＃ＢのＳＩＰサーバー３００に対するログイン処理が完了したことを示す処理中通知に応じて、ＳＩＰサーバー３００を介して通知メッセージを送信することができる。このため、相手先端末＃Ｂは、ユーザの呼出中（Ｒｉｎｇｉｎｇ中）に、受信した通知メッセージの内容を報知でき、相手先端末＃Ｂのユーザに対して迅速に情報を伝達することができる。
【０１００】
本実施形態に係る発信端末＃Ａによれば、発信端末＃Ａは、相手先端末＃Ｂとのセッション（通信路）が設定されたことを検知する。発信端末＃Ａは、設定されたセッションを用いて、通知メッセージを相手先端末＃Ｂに送信できる。このため、相手先端末＃Ｂは、発信端末＃Ａとの通信開始時に、受信した通知メッセージの内容をユーザに報知でき、相手先端末＃Ｂのユーザに対して迅速に情報を伝達することができる。
【０１０１】
また、本実施形態に係る発信端末＃Ａによれば、相手先端末＃Ｂとのセッションが設定されると、通知メッセージの内容は、設定されたセッションによる会話によって伝えるため不要であると判断して削除することもできる。
【０１０２】
（その他の実施形態）  なお、本実施形態では、通信プロトコルとしてＳＩＰを用いる場合について説明したが、本発明は、かかる場合に限定されることはなく、本実施形態の動作を実現することができる他の通信プロトコルがあれば、当該他の通信プロトコルを用いた場合にも適用可能である。
【０１０３】
また、上述の通知メッセージ送信例のパターン４において、相手先端末＃Ｂのユーザが呼出に応答しなかった場合も、パターン１と同様に通知メッセージを送信することも可能である。
【０１０４】
以上、本発明の一例を説明したが、具体例を例示したに過ぎず、特に本発明を限定するものではなく、各部の具体的構成等は、適宜設計変更可能である。また、各実施形態の構成及び各変更例の構成もそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【０１０５】
【図１】本発明の実施形態に係る無線通信ネットワークの全体概略構成図である。
【図２】本発明の実施形態に係る無線通信端末のブロック構成図である。
【図３】本発明の実施形態に係る無線通信端末によって表示される通知メッセージ作成画面の一例を示す図である。
【図４】本発明の実施形態に係る通信方法を示すシーケンス図（パターン１）である。
【図５】本発明の実施形態に係る通信方法を示すシーケンス図（パターン２）である。
【図６】本発明の実施形態に係る通信方法を示すシーケンス図（パターン３）である。
【図７】本発明の実施形態に係る通信方法を示すシーケンス図（パターン４）である。
【図８】本発明の実施形態に係る通信方法を示すシーケンス図（パターン５）である。
【図９】本発明の変更例１に係る通信方法を示すフローチャートである。
【図１０】本発明の変更例２に係る通信方法を示すフローチャートである。
【符号の説明】
【０１０６】
１００Ａ〜１００Ｂ…無線通信端末、１１０…呼制御処理部、１２０…通知メッセージ生成部、１３０…通知メッセージ送信（ＳＭＳ／Ｅ−ＭＡＩＬ）部、１４０…通知メッセージ送信（ＳＩＰ）部、１５０…通知メッセージ送信（端末間）部、１６０…通知メッセージ削除部、１７０…制御部、１８０…表示部、１９０…操作部、１９５…記憶部、２００ａ…無線パケットネットワーク、２００ｂ…回線交換ネットワーク、３００…ＳＩＰサーバー、４００…ＳＭＳサーバー、５００…Ｅ−ＭＡＩＬサーバー、
【図１】
0004628300.tif 000002
【図２】
0004628300.tif 000003
【図３】
0004628300.tif 000004
【図４】
0004628300.tif 000005
【図５】
0004628300.tif 000006
【図６】
0004628300.tif 000007
【図７】
0004628300.tif 000008
【図８】
0004628300.tif 000009
【図９】
0004628300.tif 000010
【図１０】
0004628300.tif 000011